(57)【要約】【課題】踵のみにあてがう従来の靴べらと使用方法がほぼ変わらず、簡単な動作で使用できる靴のべろのよれを防止し修正する機能を備えた靴べらの実現を課題とする。【解決手段】靴内部に挿入すると少なくとも２枚のべろ引き上げ板(４)が靴底(１２)に接して支持部材(３)が変形することにより、少なくとも２枚のべろ引き上げ板(４)が靴内部の爪先方向へ変位して靴のべろ(１１)の下側へ位置して、少なくとも２枚のべろ引き上げ板(４)を引き抜くと摩擦面(５)と靴のべろ(１１)との摩擦により靴のべろ(１１)が引っ張られよれが修正される機能を備えた靴べらにより、この課題を解決する。【選択図】  図５
2009207638.tif 000002
【特許請求の範囲】
【請求項１】
踵案内板と、
前記踵案内板に接続された弾性変形が可能な支持部材と、
前記踵案内板を対称軸とし対称となる位置に前記支持部材と接続された少なくとも２枚のべろ引き上げ板と、
前記少なくとも２枚のべろ引き上げ板の各々に設けられた摩擦面と、を具備し、
前記少なくとも２枚のべろ引き上げ板に力が加わると前記支持部材が変形することにより、前記少なくとも２枚のべろ引き上げ板が変位することを特徴とする靴のべろ引き上げ機能付靴べら。
【発明の詳細な説明】
【技術分野】
【０００１】
本発明は、腰をかがめずに簡単に靴を履くための靴べらに関するものである。          
【背景技術】
【０００２】
従来は踵のみにあてがう靴べらを使用してスニーカー等の靴紐の裏当てとして「べろ」と称される部分を有する靴を履く場合には、足を靴に入れると靴のべろがよれて靴の内部へと入り込むという問題があった。
【０００３】
この問題を解決するために次のような靴べら等がある。靴のべろのよれを防ぐ為に靴装着の前に靴のべろをつまんで保持して、足の爪先部分を靴に挿入するピンセットの機能を持たせた靴べら（特許文献１参照）。または靴に足を入れる前に靴のべろと共に靴の開口部分を硬いへら状の物で開いた状態に固定する機能を持たせた靴装着用器具（特許文献２参照）。または靴のべろ落下防止の為のへらを一体化した靴べら（特許文献３参照）等がある。
【特許文献１】登録実用新案第３０８３８５０号公報
【特許文献２】特許第３４５１０８４号公報
【特許文献３】特許公開２００５−２３７５３３号公報
【発明の開示】
【発明が解決しようとする課題】
【０００４】
これらの靴装着用器具等を使い「べろ」を有する靴を履くには次のような問題があった。
(イ)靴のべろのよれを防止し修正するためには操作を行う必要がある。この問題は前記ピンセット機能を持たせた靴べら、前記靴装着用器具そして前記靴のべろ落下防止の為のへらを一体化した靴べらに共通する。ピンセット機能で、靴のべろをつまむための操作。へら状の物で靴の開口部を固定するための操作。落下防止のへらを調整する操作。これらの操作を行う必要がある。これらの操作は、最も一般的な踵のみにあてがう従来の靴べらでは行わない操作である。操作が必要になることにより、利き手では無い方の手での使用が難しくなる。よって高齢者などには使い難く、また従来の靴べらを使用する人には今までにない操作を行うことになり負担となる。
(ロ)靴に足を挿入する際に靴べらの持ち手の位置や挿入する足の位置が、最も一般的な踵のみにあてがう従来の靴べらと違う。この問題は前記靴装着用器具そして前記靴のべろ落下防止の為のへらを一体化した靴べらに共通する。前記靴装着用器具では踵に当てる踵案内片と持ち手の位置関係が踵のみにあてがう従来の靴べらと大きく異なる。この場合左右の靴を履くときに踵のみにあてがう従来の靴べらと比べて持ち方の自由度が少なくなる。そして踵のみにあてがう従来の靴べらを使い慣れている人や高齢者の方には使い難くなっている。前記靴のべろ落下防止のためのへらを一体化した靴べらでは、足を挿入するにはべろ落下防止のためのへらと踵案内用のへらとの間に足を横から入れる必要がある。この動作はバランスを崩しやすく高齢者などには使い難い。
(ハ)靴べらを引き抜く際に踵側へ引き抜くことが出来ない。この問題は前記靴装着用器具や前記靴のべろ落下防止のためのへらを一体化した靴べら等に共通する。靴の内部に靴装着用器具等を挿入して引き抜くときには、足の甲側のへらと足の踵側のへらとに足が挟まれている状態になる。そこで靴装着用器具等を引き抜くには、真上に引き抜く必要がある。またこの動作は足の前後にある２つのへらを同時に意識しながら抜く必要がある。また前記靴装着器具では足の甲と靴のべろの間に挟まれたへらを抜くという行為は、へらと靴のべろの摩擦によって靴のべろを引っ張る事でべろのよれを修正するという機能でもある。しかし靴のべろのよれを修正するために靴のべろを引っ張る為に必要な方向は概ね水平方向であるのに対して、へらを真上に引き上げることは靴のべろを引き上げる方向とは異なるため、靴のべろを引っ張るために必要な力よりもさらに大きな力で靴べら本体を引き抜く必要がある。それが結果として靴べらを引き抜き難くなる原因の一つとなる。
【０００５】
以上のように靴装着用器具等で靴のべろのよれを防止し修正するためには、踵のみにあてがう従来の靴べらと比べて、使用方法の違いや新たな操作が必要で有るという問題があった。
【０００６】
本発明では踵のみにあてがう従来の靴べらと同じように簡単な使用方法と動作で、靴を履くときに靴のべろがよれることを防ぎよれても修正することが出来る靴べらを実現することを目的とする。
【課題を解決するための手段】
【０００７】
前記目的を達成するために請求項１の発明による靴べらは、踵案内板と、前記踵案内板に接続された弾性変形が可能な支持部材と、前記踵案内板を対称軸とし対称となる位置に前記支持部材と接続された少なくとも２枚のべろ引き上げ板と、前記少なくとも２枚のべろ引き上げ板の各々に設けられた摩擦面と、を具備し、前記少なくとも２枚のべろ引き上げ板に力が加わると前記支持部材が変形することにより、前記少なくとも２枚のべろ引き上げ板が変位することを特徴とする。
【０００８】
踵案内板は、足を靴に挿入するときに踵を靴内部へ導くために設ける。
【０００９】
弾性変形が可能な支持部材はべろ引き上げ板と踵案内板とを確実に接続し、力が加わると変形してべろ引き上げ板を変位させる為に設ける。
【００１０】
べろ引き上げ板と摩擦面とは、足と靴のべろとの間に挟まれたときに、摩擦面が靴のべろの部分に接して靴のべろとの間に摩擦力を発生させる為に設ける。
【発明の効果】
【００１１】
本発明による靴べらを靴内部へ挿入すると少なくとも２枚のべろ引き上げ板が靴底に接して、靴底からの反作用の力がべろ引き上げ板を通して支持部材に伝えられ、その反作用の力により支持部材が変形することにより、少なくとも２枚のべろ引き上げ板が靴の爪先の方向へ変位する。
【００１２】
このことにより靴べらを靴内部へ挿入だけで、少なくとも２枚のべろ引き上げ板を靴のべろの下側に位置させることが出来る。
【００１３】
また足を踵案内板に沿って靴内部へ挿入したときに、踵案内板を対称軸として対称となる位置に設けられた少なくとも２枚のべろ引き上げ板が、足の両側から包むように足の甲と接する。
【００１４】
それにより靴べらを引き抜くときに、べろ引き上げ板を足の両側から踵側へ引き抜くことが出来る。
【００１５】
本発明による靴べらで靴を履くときには、靴べらを靴に挿入する、足を踵案内板に沿って靴に挿入する、靴べらを引き抜く、という従来の靴べらと変わらない使用方法と動作で、靴のべろのよれを防止し修正することが出来る。
【００１６】
本発明による靴べらは踵方向に靴べらを引き抜くことが出来るので、左右どちらの足に靴を履く場合でも操作が簡単で且つより少ない力で靴のべろのよれを修正することが出来る。
【００１７】
本発明を使用することにより、ウォーキングシューズなどのべろを有する靴を履くときに、よれた靴のべろを腰をかがめて手で修正する必要がなくなるので、膝や腰が悪い方に負担がかかることなく靴を履くことが出来る。
【００１８】
靴のべろを修正する手間がなくなるので素早く靴を履ける。
【００１９】
腰をかがめる必要が無いので、狭いところでも靴を履くことが出来る。
【００２０】
また従来の踵のみにあてがう靴べらと変わらない動作なので使い方を覚える必要が無く、操作を習得する必要も無いので、従来の靴べらを使用している人であれば簡単に使用できる。
【発明を実施するための最良の形態】
【００２１】
次に図面を参照して本発明を実施するための最良の形態について詳細に説明する。
図１は本発明による靴べら(１)の正面図である。
図２は本発明による靴べら(１)の側面図である。
図３は本発明による靴べら(１)を靴(１０)に挿入する前の正面からのイメージ図である。
図４は本発明による靴べら(１)を靴(１０)に挿入する前の側面からのイメージ図である。
図５は本発明による靴べら(１)を靴(１０)に挿入した時の側面からのイメージ図である。
図６は本発明による靴べら(１)を靴(１０)に挿入した時の上方からのイメージ図である。
【００２２】
踵案内板(２)は足を靴(１０)内部に入れる時に踵にあてがう部分であり、素材はアルミやステンレスの金属またはポリプロピレンなどのプラスティックが良い。または金属とプラスティックを組み合わせたものでも良い。
【００２３】
形状は踵を靴(１０)の中へ導入するために中央部を凹ました湾曲形状をした薄板が良い。長さは腰を屈めずに持てる位の長さが良く、20ｃｍ〜90ｃｍ位の間が良いが70ｃｍ位が最も適当である。
【００２４】
支持部材(３)は踵案内板(２)とべろ引き上げ板(４)との間に接続される。
【００２５】
支持部材(３)と踵案内板(２)及びべろ引き上げ板(４)との接続は、はめ込み式や接着または一体成型などお互いが確実に接続される方法であればどのような方法でも良い。
【００２６】
支持部材(３)の素材は、ポリプロピレン等の柔軟で折り曲げなどに強く耐久性を持つ素材が一番適している。
【００２７】
支持部材(３)の役目は踵案内板(２)と支持部材(３)を確実に接続すること、及びべろ引き上げ板(４)に加わる力を受けて支持部材(３)が変形することによりべろ引き上げ板(４)を変位させることが目的である。
【００２８】
支持部材(３)の素材は、支持部材(３)の目的を果たす為の弾性変形が可能な素材であればよい。例えばポリプロピレンなどのプラスティックや板バネなどの薄い金属の板等でも良い。またポリプロピレンなどのプラスティックと板バネ等を組み合わせても良い。
【００２９】
また同様に支持部材(３)の目的を果たすのに適していれば、支持部材(３)は蝶番等や蝶番とバネを組み合わせた可動式としても良い。
【００３０】
支持部材(３)の弾性は、べろ引き上げ板(４)が靴底(１２)と接したときに生じる靴底(１２)からの反作用の力が、べろ引き上げ板(４)を通じて支持部材(３)に伝わる力で弾性変形する強度が良い。可動式とした場合も靴底(１２)からの反作用の力で可動する状態が良い。
【００３１】
支持部材(３)を踵案内板(２)に接続する位置は踵案内板(２)の踵と接する面以外で且つ図５に示す状態の時に靴(１０)と接触しなければどのような位置でも良いが、踵案内板(２)が踵と接する面とは反対側の面に接続するのが最も適している。
【００３２】
図２において、支持部材(３)が変形したときに踵案内板(２)と接触しないように支持部材(３)と踵案内板(２)との間にスペースＷ５を設け接続する。スペースＷ５の幅は支持部材(３)が変形したときに踵案内板(２)に接触しない間隔であればどのようにとっても良い。
【００３３】
支持部材(３)の形状は、図２に示すように、べろ引き上げ板(４)を支持部材(３)と接続した際にべろ引き上げ板(４)が踵案内板(２)の踵との接する面側に位置するように、支持部材(３)は踵案内板(２)を包み込む形状が最も良い。べろ引き上げ板(４)を踵案内板(２)の踵と接する面側で支持部材(３)と接続出来れば、支持部材(３)の形状はどのような形状でも良い。
【００３４】
べろ引き上げ板(４)を支持部材(３)に接続するときに、図１において、べろ引き上げ板(４)に設けられた摩擦面(５)が正面から見えるように傾きをつけて接続する。この傾きは踵案内板(２)に対して４５度ぐらいが適当であるが、垂直と平行の間であればどのように傾けても良い。この傾きは、図５で示すようにべろ引き上げ板(４)が靴のべろ(１１)の下側に挿入されたときに、べろ引き上げ板(４)に設けられた摩擦面(５)が靴のべろ(１１)に接し易くするために設ける。
【００３５】
べろ引き上げ板(４)は薄板形状で厚みは２ｍｍ以下が良いが、本発明による靴べら(１)を靴(１０)内部に挿入し足の甲と靴のべろ(１１)との間にべろ引き上げ板(４)が挟まれたときに厚みにより足に不快で無ければどのような厚さでも良い。
【００３６】
べろ引き上げ板(４)の先端の形状は、なめらかな曲線状が最も良い。靴(１０)に挿入時に挿入しやすい形状であればどのような形でも良い。
【００３７】
べろ引き上げ板(４)の幅は靴(１０)内部に挿入できる幅であればよいが、４ｃｍぐらいが適している。長さはべろ引き上げ板(４)を支持部材(３)に接続した時に、踵案内板(２)と支持部材(３)との接続位置からべろ引き上げ板(４)の先端までの長さが、踵案内板(２)と支持部材(３)との接続位置から踵案内板(２)の先端までの長さより長くなり、且つ靴(１０)内部に挿入できる長さであればどのような長さでも良い。
【００３８】
踵案内板(２)と支持部材(３)との接続位置からべろ引き上げ板(４)の先端までの長さが、踵案内板(２)と支持部材(３)との接続位置から踵案内板(２)の先端までの長さより長くなることにより、本発明による靴べら(１)を靴(１０)内部に挿入したときにべろ引き上げ板(４)が踵案内板(２)より先に靴底(１２)に接するようにする。
【００３９】
べろ引き上げ板(４)の素材はポリプロピレン等の柔軟で折り曲げなどに強く耐久性を持つ素材が一番適している。
【００４０】
べろ引き上げ板(４)は足に接したときの不快感を軽減する為に、薄板状の骨組みと薄く破れに強いシート等を組み合わせた物でも良い。
【００４１】
図１に示すように少なくとも２枚のべろ引き上げ板(４)を支持部材(３)に接続する位置は、踵案内板(２)を対称軸として、少なくとも２枚のべろ引き上げ板がそれぞれ対称となる位置に接続する。
【００４２】
べろ引き上げ板(４)は少なくとも２枚を対称の位置に設けることにより、左右どちらの靴を履くときにも同じように履けるようにする。
【００４３】
べろ引き上げ板(４)の数は踵案内板(２)を対称軸として対称となる位置に少なくとも２枚設ける。また２枚以上のべろ引き上げ板(４)を設ける場合には偶数枚をそれぞれ対称となる位置に設ける。
【００４４】
また本発明による靴べら(１)を靴(１０)の開口部より靴(１０)の内部へ挿入する時、少なくとも２枚のべろ引き上げ板(４)の先端と踵案内板(２)の先端とが靴(１０)の開口部の範囲内に収まるように、べろ引き上げ板(４)を支持部材(３)に接続する。
【００４５】
これは図３において、少なくとも２枚のべろ引き上げ板(４)による幅Ｗ１が靴(１０)の開口部の幅Ｗ２より小さい幅であること、且つ図４において、少なくとも２枚のべろ引き上げ板(４)の先端と踵案内板(２)の先端とによる幅Ｗ３が靴(１０)の開口部の幅Ｗ４より小さいことを満たす位置に、少なくとも２枚のべろ引き上げ板(４)を支持部材(３)に接続することである。
【００４６】
摩擦面(５)をべろ引き上げ板(４)に設ける。摩擦面(５)とべろ引き上げ板(４)との接続は接着や一体成型など確実に接続できる方法であれば、どのような方法でも良い。
【００４７】
摩擦面(５)の形状は、踵案内板(２)を対称軸とし対称となる位置に設けられたべろ引き上げ板(４)に設けられているそれぞれの摩擦面(５)の形状が対称となるようにするのが良い。これにより対称な位置に設けられたべろ引き上げ板(４)に設けられた対称な摩擦面(５)から生じる靴のべろ(１１)との摩擦による摩擦力もお互いに均衡するようにする。
【００４８】
また対称な位置に設けられたべろ引き上げ板(４)に設けられたそれぞれの摩擦面(５)の摩擦力が均衡するのであればどのような形状でも良い。
【００４９】
対称な位置に設けられたべろ引き上げ板(４)に設けられたそれぞれの摩擦面(５)からの摩擦力を均衡させることにより、本発明による靴べら(１)を引き抜くときに対称な位置に設けられた少なくとも２枚のべろ引き上げ板(４)が同時に引き抜かれ、それぞれに設けられた摩擦面(５)と靴のべろ(１１)との間の摩擦力で引っ張られる靴のべろ(１１)は、対称な位置に設けられた少なくとも２枚のべろ引き上げ板(４)の対称軸である踵案内板(２)の方向へ引っ張られる。
【００５０】
摩擦面(５)の素材は、摩擦面(５)がべろ引き上げ板(４)と共に靴のべろ(１１)と足の甲の間に挟まれたときに摩擦を発生させるものであればどのような素材でも良いが、ゴムの薄板など薄く柔軟な素材が一番適している。
【００５１】
また摩擦面(５)の形状は小さな凹凸形状等、靴のべろ(１１)との間に靴のべろ(１１)を引っ張るのに十分な摩擦力が得られる形状であればどのような形状でも良い。
【実施例１】
【００５２】
次に図を参照して、本発明による靴べら(１)の使用時の動作について説明する。
【００５３】
図４において、本発明による靴べら(１)を靴(１０)の開口部より挿入するとべろ引き上げ板(４)の先端が靴底(１２)に接する。
【００５４】
さらに本発明による靴べら(１)を、踵案内板(２)が靴底(１２)に接するまで挿入すると、靴底(１２)と接しているべろ引き上げ板(４)は靴底(１２)からの反作用を受ける。
【００５５】
その反作用による力がべろ引き上げ板(４)を通して支持部材(３)に伝えられる。
【００５６】
靴底(１２)からべろ引き上げ板(４)を通して伝えられた反作用の力により支持部材(３)が変形し、支持部材(３)の変形に伴って靴底(１２)に沿ってべろ引き上げ板(４)は靴(１０)の爪先の方へ変位する。べろ引き上げ板(４)が変位した状態は図５に示す状態になる。
【００５７】
この時、べろ引き上げ板(４)は靴のべろ(１１)の下側へ位置する。この時の状態を斜め上方から見たイメージ図が図６である。
【００５８】
図６において、２枚のべろ引き上げ板(４)の間を案内板(２)に沿って足を挿入する。足が挿入される事により、べろ引き上げ板(４)と摩擦面(５)とが、足と靴のべろ(１１)との間に挟まれ摩擦面(５)が靴のべろ(１１)と接する。
【００５９】
この時に摩擦面(５)と靴のべろ(１１)の間に摩擦が発生する。そこで本発明による靴べら(１)を引き抜くとそれに伴い摩擦面(５)に接している靴のべろ(１１)が摩擦力によって引っ張られる。
【００６０】
それにより引っ張られた靴のべろ(１１)のよれが解消される。
【００６１】
またべろ引き上げ板(４)が足を左右から挟む位置にあるので本発明による靴べら(１)を踵側へ引き抜く時に、足にべろ引き上げ板(４)が引っ掛かることなく踵側に引き抜くことが出来る。
【図面の簡単な説明】
【００６２】
【図１】は本発明による靴べら(１)の正面図である。
【図２】は本発明による靴べら(１)の側面図である。
【図３】は本発明による靴べら(１)を靴(１０)に挿入する前の正面からのイメージ図である。
【図４】は本発明による靴べら(１)を靴(１０)に挿入する前の側面からのイメージ図である。
【図５】は本発明による靴べら(１)を靴(１０)に挿入した時の側面からのイメージ図である。
【図６】は本発明による靴べら(１)を靴(１０)に挿入した時の上方からのイメージ図である。
【符号の説明】
【００６３】
１    靴べら
２    踵案内板
３    支持部材
４    べろ引き上げ板
５    摩擦面
１０  靴
１１  靴のべろ
１２  靴底
【図１】
2009207638.tif 000003
【図２】
2009207638.tif 000004
【図３】
2009207638.tif 000005
【図４】
2009207638.tif 000006
【図５】
2009207638.tif 000007
【図６】
2009207638.tif 000008